(57)【要約】【課題】記憶部を有する基板を外壁に配置した場合でも、記憶部への悪影響を抑制できるテープカセットおよびテープカセットユニットを提供する。【解決手段】テープカセット５は、カセットケース５０とフィルムテープと第二排出口６４と基板８０とを備える。カセットケース５０は、上壁５３と下壁と右壁５５と左壁と前壁５７と後壁とを有し、箱状である。フィルムテープは、カセットケース５０内に収納される。第二排出口６４は、左壁に設けられ、フィルムテープを排出する。基板８０は、第一面８０Ａとその反対側を向く第二面とを有する。第一面８０Ａには、一対のカセット側導電性端子８１が設けられる。第二面には、ＩＣチップが設けられる。ＩＣチップは、一対のカセット側導電性端子８１と電気的に接続する。基板８０は、第一面８０Ａが右側を向いた状態で右壁５５に設けられる。基板８０の一部は、第二排出口６４と左右方向に重なる。【選択図】図７
2019025889.tif 000002
【特許請求の範囲】
【請求項１】
第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、
前記カセットケースの内部に収納されたテープと、
前記第四外壁に設けられ、前記テープを排出する排出部と、
第一面と、前記第一面とは反対側の第二面とを有し、前記第一面に少なくとも１つの導電性端子が設けられ、前記第二面に前記導電性端子と電気的に接続された記憶部が設けられた基板と
を備え、
前記基板は、前記第四外壁から前記第三外壁に向かう向きを前記第一面が向いた状態で前記第三外壁に設けられ、
前記基板の少なくとも一部は、前記排出部の少なくとも一部と前記第二方向に重なることを特徴とするテープカセット。
【請求項２】
前記導電性端子の少なくとも一部は、前記排出部の少なくとも一部と前記第二方向に重なることを特徴とする請求項１に記載のテープカセット。
【請求項３】
前記導電性端子は、２つの導電性端子からなり、互いに少なくとも一部が前記第三方向に並ぶことを特徴とする請求項１または２に記載のテープカセット。
【請求項４】
前記導電性端子は、金属端子であることを特徴とする請求項１から３のいずれかに記載のテープカセット。
【請求項５】
第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、
前記カセットケースの内部に収納されたテープと、
前記第四外壁に設けられ、前記テープを排出する排出部と、
外部機器と無線通信可能な通信部と、前記通信部と電気的に接続された記憶部が設けられた基板と
を備え、
前記基板は、前記第三外壁に設けられ、
前記基板の少なくとも一部は、前記排出部の少なくとも一部と前記第二方向に重なることを特徴とするテープカセット。
【請求項６】
前記第三外壁および前記第四外壁を、それぞれ、第一領域、第二領域、第三領域と、前記第三方向の一方に向かって、この順に三等分した場合、前記排出部および前記基板は、前記第一領域および前記第三領域のいずれかに配置されることを特徴とする請求項１から５のいずれかに記載のテープカセット。
【請求項７】
前記第三外壁および前記第四外壁には、それぞれ、前記基板と前記第三方向にずれた位置から前記カセットケースの外側に突出し、前記第三方向に延びる第一凸部が設けられることを特徴とする請求項１から６のいずれかに記載のテープカセット。
【請求項８】
前記第三外壁には、前記排出部と前記第二方向に重なり、前記第四外壁に向かって凹む第一凹部が設けられ、
前記基板は、前記第一凹部に配置されることを特徴とする請求項１から７のいずれかに記載のテープカセット。
【請求項９】
前記第一凹部は、前記第五外壁と隣接する位置に配置され、
前記第五外壁と前記第一凹部との連結部の形状は、円弧状をなすことを特徴とする請求項８に記載のテープカセット。
【請求項１０】
前記第三外壁には、前記基板に対して前記第三外壁とは反対側まで突出する第二凸部が設けられることを特徴とする請求項１から９のいずれかに記載のテープカセット。
【請求項１１】
前記カセットケースは、互いに前記第一方向に並ぶ第一ケースおよび第二ケースからなり、
前記第一ケースは、少なくとも前記第一外壁と前記第六外壁の一部を含み、
前記第二ケースは、少なくとも前記第二外壁と前記第六外壁の一部を含み、
前記第一ケースの前記第六外壁および前記第二ケースの前記第六外壁のいずれか一方には、フックが設けられ、
前記第一ケースの前記第六外壁および前記第二ケースの前記第六外壁のいずれか他方に、前記フックが嵌まる孔が設けられ、
前記第六外壁には、前記第五外壁に向かって凹む第二凹部が設けられ、
前記孔と前記第二凹部とは、前記第二方向に互いに隣接することを特徴とする請求項１から１０のいずれかに記載のテープカセット。
【請求項１２】
前記第二凹部は、第一対向壁と、前記第一対向壁と対向し、かつ前記フックおよび前記孔との間の距離が前記第一対向壁よりも大きい第二対向壁と、前記第一対向壁と前記第二対向壁とを互いに接続する接続壁とを備え、
前記第一対向壁の前記第一方向の長さは、前記第二対向壁の前記第一方向の長さよりも大きいことを特徴とする請求項１１に記載のテープカセット。
【請求項１３】
前記第二凹部は、第一対向壁と、前記第一対向壁と対向し、かつ前記フックおよび前記孔との間の距離が前記第一対向壁よりも大きい第二対向壁と、前記第一対向壁と前記第二対向壁とを互いに接続する接続壁とを備え、
前記第六外壁には、前記第一対向壁から前記第五外壁に向かって突出する第一リブが設けられ、
前記接続壁は、前記第二方向において、前記第二対向壁と前記第一リブとの間に配置されることを特徴とする請求項１１に記載のテープカセット。
【請求項１４】
前記テープは、前記テープの幅方向が前記第一方向と一致する向きで、前記カセットケースの内部に収納され、
前記第二凹部は、第一対向壁と、前記第一対向壁と対向し、かつ前記フックおよび前記孔との間の距離が前記第一対向壁よりも大きい第二対向壁と、前記第一対向壁と前記第二対向壁とを互いに接続する接続壁とを備え、
前記第六外壁には、前記第一対向壁から前記第五外壁に向かって突出する第一リブが設けられ、
前記第二外壁からの前記第一リブの前記第一方向の高さは、前記第二外壁からの前記第二対向壁の前記第一方向の高さよりも低いことを特徴とする請求項１１に記載のテープカセット。
【請求項１５】
前記カセットケースには、前記第一外壁と前記第二外壁との間で前記第一方向に延び、前記テープが巻回されたテープロールの少なくとも一部を囲う第二リブが設けられ、
前記第一リブは、前記第二リブに接続することを特徴とする請求項１３または１４に記載のテープカセット。
【請求項１６】
前記テープは、前記テープの幅方向が前記第一方向と一致する向きで、前記カセットケースの内部に収納され、
前記第二凹部は、第一対向壁と、前記第一対向壁と対向し、かつ前記フックおよび前記孔との間の距離が前記第一対向壁よりも大きい第二対向壁と、前記第一対向壁と前記第二対向壁とを互いに接続する接続壁とを備え、
前記カセットケースには、前記第三外壁と前記第六外壁とを含む角部が設けられ、
前記角部は、前記第一方向において、前記カセットケースのうち前記第一ケース側の第一端部と前記第二ケース側の第二端部との間に配置され、
前記第一対向壁は、前記カセットケースのうち前記第一端部および前記第二端部とを含む部分に接続し、
前記第二対向壁は、前記角部と接続することを特徴とする請求項１１に記載のテープカセット。
【請求項１７】
前記第一方向において、前記第一端部と前記孔との間の距離は、前記第二端部と前記孔との間の距離よりも小さいことを特徴とする請求項１６に記載のテープカセット。
【請求項１８】
前記第六外壁には、前記第五外壁に向かって凹む第二凹部が設けられ、
前記カセットケースの内部には、インクリボンが巻回されたリボンロールが、前記インクリボンの幅方向が前記第一方向と一致する向きで収納され、
前記第二凹部は、前記リボンロールと前記第三方向に重なることを特徴とする請求項１から１７のいずれかに記載のテープカセット。
【請求項１９】
前記リボンロールの中心は、前記第二凹部と前記第三方向と重なることを特徴とする請求項１８に記載のテープカセット。
【請求項２０】
前記第一外壁および前記第二外壁には、互いに外側に突出し、かつ前記第一外壁および前記第二外壁と平行に延びる一対の突出部が設けられ、
前記一対の突出部は、前記第三外壁と前記第五外壁とを接続する接続部をそれぞれ含み、
前記接続部の一部のみ、前記基板と前記第一方向に重なり、
前記接続部の形状は、それぞれ、前記接続部に対して前記基板とは反対側に曲率中心を有する円弧状であることを特徴とする請求項１から１９のいずれかに記載のテープカセット。
【請求項２１】
前記排出部の前記第三方向の中心よりも、前記基板の前記第三方向の中心の方が、前記第五外壁側にあることを特徴とする請求項１から２０のいずれかに記載のテープカセット。
【請求項２２】
前記第一外壁と前記第二外壁との間には、前記第一方向に延び、前記テープが巻回されたテープロールを支持する支持部が設けられることを特徴とする請求項１から２１のいずれかに記載のテープカセット。
【請求項２３】
前記第五外壁と前記第六外壁との間の第一距離は、前記第一外壁および前記第二外壁との間の第二距離よりも大きく、
前記第三外壁と前記第四外壁との間の第三距離は、前記第一距離よりも大きいことを特徴とする請求項１から２２のいずれかに記載のテープカセット。
【請求項２４】
光学式の読取装置によって読み取り可能なコードが表示される読取表示部を備え、
前記読取表示部は、前記第一外壁、前記第二外壁、前記第四外壁、前記第五外壁、および前記第六外壁のいずれかに配置されることを特徴とする請求項４に記載のテープカセット。
【請求項２５】
前記読取表示部は、前記第一外壁、前記第二外壁、前記第五外壁、および前記第六外壁のいずれかに配置されることを特徴とする請求項２４に記載のテープカセット。
【請求項２６】
前記テープカセットの種別が表示される種別表示部を備え、
前記第五外壁と前記第六外壁との間の第一距離は、前記第一外壁および前記第二外壁との間の第二距離よりも大きく、
前記第三外壁と前記第四外壁との間の第三距離は、前記第一距離よりも大きく、
前記種別表示部は、前記第五外壁および前記第六外壁のいずれか一方に配置され、
前記読取表示部は、前記第五外壁および前記第六外壁のいずれか他方に配置されることを特徴とする請求項２５に記載のテープカセット。
【請求項２７】
前記読取表示部には、粘着剤が塗布された第三面と、前記第三面とは反対側であり、前記コードが表示された第四面とを有するラベルが前記粘着剤を介在させて貼り付けられることを特徴とする請求項２４から２６のいずれかに記載のテープカセット。
【請求項２８】
前記ラベルは、前記第四面の一部にホログラムが設けられることを特徴とする請求項２７に記載のテープカセット。
【請求項２９】
請求項１から２８のいずれかに記載のテープカセットと、
前記テープカセットが収容される収容体と
を備え、
前記収容体は、一端に前記収容体が折り込まれて形成されるマチ部を備え、
前記テープカセットは、前記基板が前記マチ部に対向した状態で前記収容体に収容されることを特徴とするテープカセットユニット。
【発明の詳細な説明】
【技術分野】
【０００１】
本発明は、テープカセットおよびテープカセットユニットに関する。
【背景技術】
【０００２】
従来、印刷に用いられるテープカセットが知られている。例えば、特許文献１に記載のテープカセットは、箱状のカセットケースを備える。カセットケースの内部には、印刷に用いられるテープが収納される。
【先行技術文献】
【特許文献】
【０００３】
【特許文献１】特開２０１２−２３２４６２号公報
【発明の概要】
【発明が解決しようとする課題】
【０００４】
例えば、上記テープカセットにおいて、テープカセットに関する情報等を記憶する記憶部を基板に搭載し、カセットケースの外壁に基板を配置することが考えられる。基板が外壁に配置されると、ユーザは、テープカセットを取り扱う際に、基板を掴む可能性がある。基板が掴まれると、基板に外力が加わって記憶部に悪影響を及ぼす可能性がある。
【０００５】
本発明の目的は、記憶部を有する基板を外壁に配置した場合でも、記憶部への悪影響を抑制できるテープカセットおよびテープカセットユニットを提供することである。
【課題を解決するための手段】
【０００６】
本発明の第一態様に係るテープカセットは、第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、前記カセットケースの内部に収納されたテープと、前記第四外壁に設けられ、前記テープを排出する排出部と、第一面と、前記第一面とは反対側の第二面とを有し、前記第一面に少なくとも１つの導電性端子が設けられ、前記第二面に前記導電性端子と電気的に接続された記憶部が設けられた基板とを備え、前記基板は、前記第四外壁から前記第三外壁に向かう向きを前記第一面が向いた状態で前記第三外壁に設けられ、前記基板の少なくとも一部は、前記排出部の少なくとも一部と前記第二方向に重なる。
【０００７】
本発明の第二態様に係るテープカセットは、第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、前記カセットケースの内部に収納されたテープと、前記第四外壁に設けられ、前記テープを排出する排出部と、外部機器と無線通信可能な通信部と、前記通信部と電気的に接続された記憶部が設けられた基板とを備え、前記基板は、前記第三外壁に設けられ、前記基板の少なくとも一部は、前記排出部の少なくとも一部と前記第二方向に重なる。
【０００８】
上記第一態様および第二態様に係るテープカセットにおいて、排出部は、テープを排出するので、他の部位に比べてユーザによって触られにくい。基板の少なくとも一部が排出部の少なくとも一部と第二方向に重なっているので、基板はユーザによって触られにくくなる。よって、テープカセットは、記憶部を有する基板を外壁に配置した場合でも、記憶部への悪影響を抑制できる。
【０００９】
本発明の第三態様に係るテープカセットユニットは、第一態様または第二態様に係るテープカセットと、前記テープカセットが収容される収容体とを備え、前記収容体は、一端に前記収容体が折り込まれて形成されるマチ部を備え、前記テープカセットは、前記基板が前記マチ部に対向した状態で前記収容体に収容される。
【００１０】
上記第三態様に係るテープカセットユニットでは、テープカセットが収容体に収容されているので、基板はユーザによって触られにくい。ユーザによって収容体からテープカセットが取り出された場合でも、基板の少なくとも一部が排出部の少なくとも一部と第二方向に重なっているので、基板はユーザによって触られにくい。よって、第三態様に係るテープカセットユニットは、第一態様および第二態様に係るテープカセットと同様の効果を奏することができる。
【図面の簡単な説明】
【００１１】
【図１】印刷装置１を右前上側から見た斜視図である。
【図２】本体筐体１０を左後下側から見た斜視図である。
【図３】本体筐体１０の底面図である。
【図４】端子ホルダ３２が第一位置にあるときの端子ユニット３０を上下方向に直交する平面で切って下側から見た断面図である。
【図５】端子ホルダ３２が第二位置にあるときの端子ユニット３０を上下方向に直交する平面で切って下側から見た断面図である。
【図６】テープカセットユニット１００を右前上側から見た斜視図である。
【図７】テープカセット５を右前上側から見た斜視図である。
【図８】テープカセット５を右前下側から見た斜視図である。
【図９】ラミネートタイプのテープカセット５（上ケース５１を除く）を略上方から見た斜視図である。
【図１０】テープカセット５の背面図である。
【図１１】図１０のＡ−Ａ線矢視方向におけるテープカセット５（上ケース５１を除く）の断面図である。
【図１２】第一種別表示部５３Ａに貼り付けられた種別表示ラベル５Ａの断面図である。
【図１３】読取表示部５４Ａに貼り付けられた読取表示ラベル５Ｂの断面図である。
【図１４】テープカセット５（基板８０を除く）を右前上側から見た斜視図である。
【図１５】テープカセット５（基板８０を除く）の右側面図である。
【図１６】基板８０を第二面８０Ｂ側から見た図である。
【図１７】収容体９を右前上側から見た斜視図である。
【図１８】テープカセットユニット１００の右側面図である。
【図１９】装着部２０にテープカセット５が装着された場合における本体筐体１０の底面図である。
【図２０】逃がし凹部７２の代わりに逃がし孔７２１が設けられた配置部７０の周りを略上方から見た斜視図である。
【図２１】変形例のテープカセット５（上ケース５１を除く）を略上方から見た斜視図である。
【図２２】一対の凸部７４を有するテープカセット５（基板８０を除く）の右側面図である。
【図２３】一対の穴部８６を有する基板８０を第二面８０Ｂ側から見た図である。
【発明を実施するための形態】
【００１２】
本発明の一実施形態を、図面を参照して説明する。参照する図面は、本発明が採用しうる技術的特徴を説明するために用いられるものである。図面に記載されている装置の構成は、それのみに限定する趣旨ではなく、単なる説明例である。以下説明で使用する「同一形状」および「同じ位置」とは、それぞれ、完全に同一の形状のものおよび完全に同じ位置にあるものに限定する趣旨ではなく、実質的に同一の形状のものおよび実質的に同じ位置にあるものも含む趣旨である。「平行」および「直交」とは、それぞれ、完全に平行および直交するものに限定する趣旨ではなく、実質的に平行および直交するものも含む趣旨である。
【００１３】
図１から図３を参照し、印刷装置１の構成を説明する。以下の説明では、図１の左上側、右下側、左下側、右上側、上側、および下側を、それぞれ、印刷装置１の左側、右側、前側、後側、上側、および下側とする。印刷装置１は、各種テープカセット（例えば、ラミネート、レセプタタイプ、サーマルタイプ、チューブタイプ）を１台で使用可能である。以下、テープカセット５（図７参照）に収納される長尺状の各種印刷媒体（例えば、両面粘着テープ６、フィルムテープ７、片面粘着テープ、感熱紙テープ、チューブテープ）を、総称して「テープ」という。印刷装置１は、文字、図形、記号等のキャラクタをテープに印刷する印刷動作を実行できる。
【００１４】
図１に示すように、印刷装置１は、略直方体状である。印刷装置１は、本体筐体１０とカバー１９とを有する。本体筐体１０の上面の前部には、キーボード１１が設けられる。キーボード１１は、種々のキャラクタ入力等を行う。キーボード１１の後方には、機能キー群１２が設けられる。機能キー群１２は、電源ボタン、印刷開始ボタン等を含み、印刷装置１に各種指示を入力する。機能キー群１２の後方には、液晶ディスプレイ１３が設けられる。液晶ディスプレイ１３は、入力したキャラクタを表示する。カバー１９は、本体筐体１０の下側に開閉自在に取り付けられる。
【００１５】
図２および図３に示すように、本体筐体１０には、装着部２０が設けられる。装着部２０は、本体筐体１０の下面から上方に凹み、底壁２０Ａと側壁２０Ｂとを備える。底壁２０Ａは、底面視で略矩形状であり、上下方向と直交する。側壁２０Ｂは、底壁２０Ａの周縁部から下方に延びる。装着部２０には、テープカセット５が上下方向に着脱可能である。
【００１６】
装着部２０には、ヘッドホルダ２１、プラテンホルダ２３、テープ駆動軸２６、リボン巻取軸２７、フック２８Ａ、２８Ｂ、リブ２９（図３参照）、端子ユニット３０等が配置される。ヘッドホルダ２１は、板状であり、底壁２０Ａのうち右側の部位から下方に延びる。ヘッドホルダ２１の右面には、サーマルヘッド２２（図３参照）が配置される。
【００１７】
プラテンホルダ２３は、装着部２０の右部に配置される。プラテンホルダ２３は、前端部を中心に略左右方向に回動可能である。プラテンホルダ２３は、プラテンローラ２４およびテープサブローラ２５を底面視でそれぞれ反時計回り方向に回転可能に支持する。プラテンローラ２４は、サーマルヘッド２２に右側から対向する位置に設けられる。テープサブローラ２５は、プラテンローラ２４の後側近傍に設けられる。テープ駆動軸２６は、テープサブローラ２５の左側に設けられ、底壁２０Ａから下方に延びる。リボン巻取軸２７は、底壁２０Ａの略中央から下方に延びる。
【００１８】
フック２８Ａは、底壁２０Ａの前端部から下方に突出し、前後方向に弾性変形可能である。フック２８Ｂは、底壁２０Ａの後端部から下方に突出し、前後方向に弾性変形可能である。リブ２９は、装着部２０の左端部のうち前後方向の中央よりも前側の位置に設けられ、底壁２０Ａから下方に延びる。リブ２９の左端部は側壁２０Ｂに接続する。端子ユニット３０は、側壁２０Ｂのうち前右角部に配置される。端子ユニット３０の詳細は後述する。
【００１９】
テープ駆動軸２６の右後近傍には、切断装置１５が設けられる。本体筐体１０の右後角部には、操作部１４が設けられる。操作部１４は、内側へ押圧操作されることによって、切断装置１５を作動させて、印刷済みのテープを切断する。切断装置１５の後側には、テープ排出口１６が設けられる。テープ排出口１６は、本体筐体１０を前後方向に貫通する開口である。テープ排出口１６は、切断装置１５によって切断された印刷済みのテープを本体筐体１０の外部に排出する。
【００２０】
印刷装置１は、本体筐体１０の内部に制御部（図示略）を備える。制御部は、ＣＰＵ、ＲＯＭ、ＲＡＭ等を備え、印刷装置１による印刷動作を制御する。
【００２１】
図２、図４、および図５を参照し、端子ユニット３０を説明する。図４および図５に示すように、端子ユニット３０は、ホルダ支持部３１と端子ホルダ３２と付勢部材３３とを備える。ホルダ支持部３１は、側壁２０Ｂ（図２参照）に固定される。ホルダ支持部３１は、略直方体状の箱状であり、後方に開口する。端子ホルダ３２は、略直方体状の箱状であり、前方に開口する。端子ホルダ３２は、ホルダ支持部３１の内部に配置され、ホルダ支持部３１によって第一位置（図４参照）と第二位置（図５参照）との間で前後方向に移動可能に支持される。第一位置にある端子ホルダ３２は、側壁２０Ｂの後側を向く面から後方に突出する（図４参照）。第二位置にある端子ホルダ３２は、側壁２０Ｂの後側を向く面からの突出量が第一位置にあるときよりも小さい（図５参照）。
【００２２】
図２に示すように、端子ホルダ３２の上端部の後部は、後方斜め上側に傾斜する。端子ホルダ３２の後面（以下、「端子面３２Ａ」という。）は、矩形状である。端子面３２Ａには、一対の本体側導電性端子３４が設けられる。一対の本体側導電性端子３４は、いずれも金属端子であり、それぞれ、印刷装置１の制御部とハーネス（図示略）を介して電気的に接続する。一対の本体側導電性端子３４は、互いに間に所定の隙間を空けて左右方向に並ぶ。一対の本体側導電性端子３４は、上下方向に長い矩形状であり、互いに同一形状である。一対の本体側導電性端子３４のそれぞれの上端部は、上下方向において同じ位置にある。一対の本体側導電性端子３４のそれぞれの下端部は、上下方向において同じ位置にある。
【００２３】
図４および図５に示すように、付勢部材３３は、コイルばねであり、一端がホルダ支持部３１に固定され、他端が端子ホルダ３２の端子面３２Ａとは反対側の面（すなわち、前面）に固定される。付勢部材３３は、端子ホルダ３２を第二位置（図５参照）から第一位置（図４参照）に向かって後方に付勢する。
【００２４】
図６から図１８を参照し、テープカセットユニット１００を説明する。以下の説明では、図６の左上側、右下側、左下側、右上側、上側、および下側を、それぞれ、テープカセットユニット１００の左側、右側、前側、後側、上側、および下側とする。
【００２５】
図６に示すように、テープカセットユニット１００は、テープカセット５と収容体９とを備える。例えば、未使用のテープカセット５は、収容体９に収容された状態で、テープカセットユニット１００として市場で流通することが想定される。収容体９は、例えば可撓性を有する樹脂製の梱包袋である。ユーザは、収容体９からテープカセット５を取り出して使用する。
【００２６】
図７および図８に示すように、テープカセット５は、カセットケース５０を備える。カセットケース５０は、略直方体状の箱状であり、上ケース５１と下ケース５２とを有する。上ケース５１および下ケース５２は、互いに上下方向に並び、下ケース５２の上側に上ケース５１が組み付けられる。上ケース５１は、上壁５３と周壁５９Ａとを有する。下ケース５２は、下壁５４と周壁５９Ｂとを有する。上壁５３および下壁５４は、それぞれ、前後左右と平行に延びる。下壁５４は、上壁５３の下側に並んで配置される。
【００２７】
周壁５９Ａは、上壁５３の周縁から下側に延びる。周壁５９Ｂは、下壁５４の周縁から上側に延びる。周壁５９Ａ、５９Ｂは、上ケース５１が下ケース５２に組み付けられた状態で、右壁５５、左壁５６（図９参照）、前壁５７、および後壁５８（図１０参照）を形成する。右壁５５および左壁５６は、それぞれ、前後上下と平行に延びる。左壁５６は、右壁５５の左側に並んで配置される。前壁５７および後壁５８は、それぞれ、上下左右と平行に延びる。後壁５８は、前壁５７の後側に並んで配置される。
【００２８】
上壁５３、下壁５４、右壁５５、左壁５６、前壁５７、および後壁５８は、それぞれ、カセットケース５０の外側を向く外壁である。前壁５７と後壁５８との間の距離Ｌ１は、上壁５３と下壁５４との間の距離Ｌ２よりも大きい。右壁５５と左壁５６との間の距離Ｌ３は、距離Ｌ１よりも大きい。
【００２９】
図９に示すように、前壁５７には、ヘッド挿入部６１が設けられる。ヘッド挿入部６１は、前壁５７の左端部近傍から後方に凹み、右方に延びる。前壁５７のうち、ヘッド挿入部６１の前側を延びる部位を、「アーム部６２」という。アーム部６２の左端部には、第一排出口６３が形成される。第一排出口６３は、上下方向に延びる開口であり、カセットケース５０の内部から外部にテープおよびインクリボン４を排出する。
【００３０】
左壁５６の前端部には、第二排出口６４が設けられる。以下、右壁５５および左壁５６を、それぞれ、前後方向に三等分した場合の領域を、後方から前方に向かう順に、「第一領域Ｒ１」、「第二領域Ｒ２」、「第三領域Ｒ３」とする。第二排出口６４は、第三領域Ｒ３において、第一排出口６３よりもテープの搬送方向下流側に配置される。第二排出口６４は、上下方向に延びる開口であり、第二排出口６４から排出されたテープを外部へと排出し、テープ排出口１６へ案内する。
【００３１】
図７から図９に示すように、右壁５５には、配置部７０およびリブ６５Ａ、６５Ｂ、６５Ｃが設けられる。配置部７０は、第三領域Ｒ３に配置される。配置部７０には、基板８０が配置される。配置部７０および基板８０の詳細は後述する。
【００３２】
リブ６５Ａ、６５Ｂ、６５Ｃは、それぞれ、基板８０から後方にずれた位置に設けられ、カセットケース５０の外側（すなわち、右側）に向けて基板８０よりも右側まで右壁５５から突出する。リブ６５Ａは、配置部７０の後側近傍から右壁５５の前後方向の中央部よりも後側まで、右壁５５の上下方向の中央部を前後方向に延びる。リブ６５Ｂは、リブ６５Ａの前端部に接続し、右壁５５の上端部と右壁５５の下端部との間で上下方向に延びる。リブ６５Ｃは、リブ６５Ａの後端部に接続し、右壁５５の上端部と右壁５５の下端部との間で上下方向に延びる。
【００３３】
図９に示すように、左壁５６には、リブ６６Ａ、６６Ｂ、６６Ｃが設けられる。リブ６６Ａ、６６Ｂ、６６Ｃは、それぞれ、基板８０から後方にずれた位置に設けられ、カセットケース５０の外側（すなわち、左側）に向けて左壁５６から突出する。リブ６６Ａは、左壁５６の前後方向の中央部を挟んで前後方向に延びる。リブ６６Ｂは、リブ６６Ａの前端部に接続し、左壁５６の上端部と左壁５６の下端部との間で上下方向に延びる。リブ６６Ｃは、リブ６６Ａの後端部に接続し、左壁５６の上端部と左壁５６の下端部との間で上下方向に延びる。
【００３４】
図７および図８に示すように、カセットケース５０は、共通部５０Ａ、５０Ｂ、５０Ｃと一対の突出部５１１、５１２とを有する。共通部５０Ａは、カセットケース５０の右後角部であり、右壁５５の後端部と後壁５８の右端部とを含む。共通部５０Ｂは、カセットケース５０の右前角部であり、右壁５５の前端部と前壁５７の右端部とを含む。共通部５０Ｃは、カセットケース５０の左後角部であり、左壁５６の後端部と後壁５８の左端部とを含む。共通部５０Ａ、５０Ｂ、５０Ｃの上下方向のそれぞれの長さは、カセットケース５０の上下方向の最大長さよりも小さい。
【００３５】
突出部５１１は、上壁５３から上方に突出する。突出部５１２は、下壁５４から下方に突出する。すなわち、突出部５１１、５１２は、上壁５３および下壁５４から互いに外側に突出する。一対の突出部５１１、５１２は、それぞれ、上壁５３および下壁５４の周縁に沿って延びる。突出部５１１の上端部５０１は、カセットケース５０のうち最も上側に位置する。突出部５１２の下端部５０２は、カセットケース５０のうち最も下側に位置する。共通部５０Ａ、５０Ｂ、５０Ｃは、それぞれ、上下方向において、上端部５０１と下端部５０２との間に配置される。
【００３６】
図７に示すように、突出部５１１は、第一接続部５１１Ａと第二接続部５１１Ｂと第三接続部５１１Ｃとを含む。第一接続部５１１Ａは、共通部５０Ａの近傍に配置される。第一接続部５１１Ａは、一端が右壁５５と接続し、他端が後壁５８と接続する。すなわち、第一接続部５１１Ａは、右壁５５と後壁５８とを接続する。第一接続部５１１Ａの形状は、第一接続部５１１Ａに対してカセットケース５０の中心側に曲率中心を有する円弧状である。
【００３７】
第二接続部５１１Ｂは、共通部５０Ｂの近傍に配置される。第二接続部５１１Ｂは、一端が右壁５５と接続し、他端が前壁５７と接続する。すなわち、第二接続部５１１Ｂは、右壁５５と前壁５７とを接続する。第二接続部５１１Ｂは、配置部７０の後端部の前側近傍から前方斜め左側に湾曲する。すなわち、第二接続部５１１Ｂの形状は、第二接続部５１１Ｂに対してカセットケース５０の中心側（すなわち、基板８０および共通部５０Ｂとは反対側）に曲率中心を有する円弧状である。第二接続部５１１Ｂの後端部（すなわち、右壁５５との接続部）のみ、配置部７０および基板８０と上下方向に重なる。
【００３８】
第三接続部５１１Ｃは、共通部５０Ｃの近傍に配置される。第三接続部５１１Ｃは、一端が左壁５６と接続し、他端が後壁５８と接続する。すなわち、第三接続部５１１Ｃは、左壁５６と後壁５８とを接続する。第三接続部５１１Ｃの形状は、第三接続部５１１Ｃに対してカセットケース５０の中心側に曲率中心を有する円弧状である。
【００３９】
図８に示すように、突出部５１２は、第一接続部５１２Ａと第二接続部５１２Ｂと第三接続部５１２Ｃとを含む。第一接続部５１２Ａ、第二接続部５１２Ｂ、および第三接続部５１２Ｃは、それぞれ、第一接続部５１１Ａ、第二接続部５１１Ｂ、および第三接続部５１１Ｃに対応する。第一接続部５１２Ａ、第二接続部５１２Ｂ、および第三接続部５１２Ｃは、それぞれ、第一接続部５１１Ａ、第二接続部５１１Ｂ、および第三接続部５１１Ｃと突出する方向が反対側になる点が異なり、形状等は略同一であるので、説明を省略する。
【００４０】
図１０に示すように、上ケース５１に含まれる後壁５８には、フック６７Ａが設けられる。フック６７Ａは、上ケース５１に含まれる後壁５８から下方に延び、前後方向に弾性変形可能である。下ケース５２に含まれる後壁５８には、孔６７Ｂが設けられる。孔６７Ｂは、下ケース５２に含まれる後壁５８を前後方向に貫通する。フック６７Ａおよび孔６７Ｂは、左右方向において、後壁５８の中央部と共通部５０Ａとの略中央部に配置される。フック６７Ａは、上ケース５１が下ケース５２に組み付けられた状態で、孔６７Ｂに対して前側から係合する。上ケース５１が下ケース５２に組み付けられた状態で、上端部５０１と孔６７Ｂとの間の上下方向の距離Ａ１は、下端部５０２と孔６７Ｂとの間の上下方向の距離Ａ２よりも小さい。
【００４１】
図９および図１０に示すように、後壁５８には、凹部６８が設けられる。凹部６８は、フック６７Ａおよび孔６７Ｂの右側に隣接する。凹部６８は、後壁５８から前方に凹み、上下方向に延びる。凹部６８は、第一対向壁６８Ａと第二対向壁６８Ｂと接続壁６８Ｃとを備える。
【００４２】
第一対向壁６８Ａおよび第二対向壁６８Ｂは、互いに左右方向に対向する。第二対向壁６８Ｂは、第一対向壁６８Ａよりも右側に配置される。すなわち、第二対向壁６８Ｂとフック６７Ａおよび孔６７Ｂとの間の左右方向の距離Ｂ２は、第一対向壁６８Ａとフック６７Ａおよび孔６７Ｂとの間の距離Ｂ１よりも大きい。第一対向壁６８Ａは、上端部５０１と下端部５０２とを含む部分に接続する。すなわち、第一対向壁６８Ａは、一対の突出部５１１、５１２および後壁５８が連続する部分に接続する。第二対向壁６８Ｂは、共通部５０Ａに接続する。すなわち、第一対向壁６８Ａの上下方向の長さＴ１は、第二対向壁６８Ｂの上下方向の長さＴ２よりも大きい。第一対向壁６８Ａの上端部は、第二対向壁６８Ｂの上端部よりも上側にある。第一対向壁６８Ａの下端部は、第二対向壁６８Ｂの下端部よりも下側にある。接続壁６８Ｃは、前後方向に直交し、第一対向壁６８Ａの前端部と第二対向壁６８Ｂの前端部とを互いに接続する。
【００４３】
図７から図９に示すように、カセットケース５０は、テープ駆動ローラ４６と支持部４９Ａ〜４９Ｄとを有する。テープ駆動ローラ４６は、上壁５３と下壁５４との間で上下方向に延びる筒状体であり、カセットケース５０の左前角部に配置される。テープ駆動ローラ４６は、上壁５３および下壁５４によって回転可能に支持される。支持部４９Ａは、上壁５３と下壁５４との間で上下方向に延びる筒状体である。支持部４９Ｂ、４９Ｃは、上壁５３と下壁５４との間で上下方向に延びる軸体である。支持部４９Ｄは、上壁５３および下壁５４をそれぞれ上下方向に貫通する。
【００４４】
図９に示すように、支持部４９Ａは、テープ駆動ローラ４６の後方斜め右側に配置され、第一テープスプール４０を回転可能に支持する。第一テープスプール４０には、第一のテープが巻回される。支持部４９Ｂは、支持部４９Ａの右側に配置され、第二テープスプール４１を回転可能に支持する。第二テープスプール４１には、第二のテープが巻回される。支持部４９Ｃは、支持部４９Ｂの前方斜め右側に配置され、リボンスプール４２を回転可能に支持する。リボンスプール４２には、未使用のインクリボン４が巻回される。支持部４９Ｄは、支持部４９Ｂの前方斜め左側に配置され、リボン巻取スプール４４（図７参照）を回転可能に支持する。リボン巻取スプール４４には、使用済みのインクリボン４が巻き取られて巻回される。
【００４５】
テープカセット５は、カセットケース５０の内部に収納されるテープの種類、インクリボン４の有無等を適宜変更することによって、ラミネートタイプ、レセプタタイプ、サーマルタイプ、チューブタイプ等に実装可能である。図９は、ラミネートタイプのテープカセット５を例示する。ラミネートタイプのテープカセット５では、支持部４９Ａは、第一のテープとして両面粘着テープ６が巻回された第一テープスプール４０（以下、「両面粘着ロール６Ａ」という。）を回転可能に支持する。支持部４９Ｂは、第二のテープとしてフィルムテープ７が巻回された第二テープスプール４１（以下、「フィルムロール７Ａ」という。）を回転可能に支持する。支持部４９Ｃは、未使用のインクリボン４が巻回されたリボンスプール４２（以下、「リボンロール４Ａ」という。）を回転可能に支持する。
【００４６】
両面粘着ロール６Ａ、フィルムロール７Ａ、およびリボンロール４Ａは、それぞれ、両面粘着テープ６、フィルムテープ７、およびインクリボン４の供給源である。両面粘着ロール６Ａ、フィルムロール７Ａ、およびリボンロール４Ａは、それぞれ、両面粘着テープ６、フィルムテープ７、およびインクリボン４の幅方向がカセットケース５０の上下方向と一致する向きで、カセットケース５０の内部に収納される。凹部６８は、リボンロール４Ａと前後方向に重なる。リボンロール４Ａの中心Ｑは、凹部６８と前後方向に重なる。中心Ｑは、リボンロール４Ａが支持部４９Ｃに支持された状態で支持部４９Ｃの中心と一致する。
【００４７】
図９および図１１に示すように、上下方向において、上壁５３と下壁５４との間には、リブ４７が設けられる。リブ４７は、右前部と左後部が開口する平面視で支持部４９Ｂを中心とする円形状であり、下壁５４から上方に延びる。リブ４７の内側には、フィルムロール７Ａが配置される。リブ４７は、フィルムロール７Ａの周方向の一部を囲う。リブ４７の後端部は、後壁５８の前側近傍に配置される。後壁５８には、リブ４８が設けられる。リブ４８は、第一対向壁６８Ａから前方に向かって突出し、下壁５４からリブ４７の上端部まで上方に延びる。リブ４８の前端部は、リブ４７の後端部の右側近傍に接続する。接続壁６８Ｃは、左右方向において、第二対向壁６８Ｂとリブ４８との間に配置される。下壁５４からのリブ４８の上下方向の高さＨ１は、下壁５４からの第二対向壁６８Ｂの上下方向の高さＨ２よりも低い（図１１参照）。
【００４８】
図９に示すように、リボンロール４Ａの右前側には、屈曲ピン４５Ａ〜４５Ｄが設けられる。屈曲ピン４５Ａ、４５Ｂ、４５Ｃ、４５Ｄは、この順に前方から後方に向けて並ぶ。屈曲ピン４５Ａ〜４５Ｄは、それぞれ、上下方向に延びる円柱状であり、下壁５４に固定支持される。屈曲ピン４５Ａ〜４５Ｄは、フィルムテープ７の搬送経路を規定する。フィルムテープ７の搬送経路は、フィルムロール７Ａから前方に延び、屈曲ピン４５Ｄ、４５Ｃ、４５Ｂ、４５Ａをこの順に経由して左側に曲がり、第一排出口６３を経由して第二排出口６４まで延びる。
【００４９】
図７に示すように、テープカセット５は、第一種別表示部５３Ａを備える。第一種別表示部５３Ａは、平面視で矩形状の領域であり、上壁５３から僅かに下方に凹む。第一種別表示部５３Ａは、支持部４９Ａ、４９Ｂの間で左右方向に延び、かつ、第一領域Ｒ１の前端部近傍の位置と上壁５３の後端部との間で前後方向に延びる。
【００５０】
図１０に示すように、テープカセット５は、第二種別表示部５８Ａを備える。第二種別表示部５８Ａは、背面視で矩形状の領域であり、後壁５８に設けられる。第二種別表示部５８Ａは、支持部４９Ａ、４９Ｂの間で左右方向に延び、かつ、後壁５８の上端部と下端部近傍の位置との間で上下方向に延びる。第二種別表示部５８Ａの上端部は、第一種別表示部５３Ａ（図７参照）の後端部と接続する。
【００５１】
図７、図１０、および図１２に示すように、第一種別表示部５３Ａおよび第二種別表示部５８Ａには、それぞれにまたがって種別表示ラベル５Ａが設けられる。種別表示ラベル５Ａは、第一種別表示部５３Ａおよび第二種別表示部５８Ａに沿った矩形状であり、表面５１Ａとその反対側の裏面５２Ａとを有する。表面５１Ａには、テープカセット５の種別（テープの色、テープの幅、テープに印刷されるキャラクタの色（すなわち、インクリボン４の色）、ラミネートタイプか否か、型番等）が表示される。図７および図１０の例では、種別表示ラベル５Ａは、テープの色として赤色（ＲＥＤ）、テープの幅として１２ｍｍ、テープ印刷されるキャラクタの色（インクリボン４の色）として黒色（ＢＬＡＣＫ  ＩＮＫ）、テープカセット５がラミネートタイプであること（ＬＡＭＩＮＡＴＥＤ）を表示している。裏面５２Ａには、粘着剤Ｚ１が塗布される。種別表示ラベル５Ａは、粘着剤Ｚ１を介在させて第一種別表示部５３Ａおよび第二種別表示部５８Ａのそれぞれにまたがって貼り付けられる。
【００５２】
図８および図１３に示すように、テープカセット５は、読取表示部５４Ａを備える。読取表示部５４Ａは、底面視で矩形状の領域であり、下壁５４に設けられる。読取表示部５４Ａは、支持部４９Ａ、４９Ｂ、４９Ｄによって囲まれた領域内に配置される。読取表示部５４Ａには、読取表示ラベル５Ｂが設けられる。読取表示ラベル５Ｂは、読取表示部５４Ａに沿った矩形状であり、表面５３Ｂとその反対側の裏面５４Ｂとを有する。表面５３Ｂには、コード５１Ｂとホログラム５２Ｂとが設けられる。コード５１Ｂは、表面５３Ｂの右前部に配置される。コード５１Ｂは、光学式の読取装置（図示略）で読み取り可能な文字、図形、記号等のキャラクタである。具体的には、コード５１Ｂは、バーコード、ＱＲコード（登録商標）等である。光学式の読取装置は、コード５１Ｂを読み取ることで種々の情報を得ることができる。ホログラム５２Ｂは、コード５１Ｂの左側に配置される。ホログラム５２Ｂは、微細な凹凸により、視認可能な文字、図形、記号等のキャラクタを表示する。ユーザは、ホログラム５２Ｂを視認することで種々の情報を得ることができる。裏面５４Ｂには、粘着剤Ｚ２が塗布される。読取表示ラベル５Ｂは、粘着剤Ｚ２を介在させて読取表示部５４Ａに貼り付けられる。
【００５３】
図７から図９および図１４から図１６を参照し、配置部７０および基板８０を説明する。図９および図１４に示すように、配置部７０は、右壁５５から左方に凹む。配置部７０は、右壁５５のうち前壁５７と隣接する位置、すなわち、共通部５０Ｂに配置される。配置部７０の前端部近傍は、第二排出口６４と左右方向に重なる。
【００５４】
図９に示すように、前壁５７と配置部７０とは、互いに連結部７０Ａで連結する。連結部７０Ａは、前壁５７の右端部であり、右壁５５（配置部７０）の前端部である。連結部７０Ａの形状は、前壁５７の右端部から後方斜め左側に鋭角に屈曲し、平面視で円弧状をなす。
【００５５】
図１４に示すように、配置部７０は、右壁５５の上端部の下側近傍と右壁５５の下端部の上側近傍との間で上下方向に延びる。すなわち、配置部７０は、上壁５３および下壁５４までは延びていない。
【００５６】
図９および図１４に示すように、配置部７０は、第一壁７１と逃がし凹部７２と第二壁７３とを有する。第一壁７１、逃がし凹部７２、および第二壁７３は、後方から前方に向かってこの順で並び、配置部７０の底壁を形成する。第一壁７１および第二壁７３は、右壁５５の右面（以下、「特定面５５Ａ」という。）よりも左側に配置され、右壁５５と平行に延びる。逃がし凹部７２は、第三領域Ｒ３に配置され、第一壁７１および第二壁７３から左方に凹む。カセットケース５０の内部において、逃がし凹部７２の底壁は、搬送経路上にあるテープ（図９では、フィルムテープ７）と左右方向に対向する。
【００５７】
図１５に示すように、第一壁７１および第二壁７３をそれぞれ上下方向に二等分した場合において、第一壁７１のうち上側の領域を「第一配置領域Ｄ１」といい、第二壁７３のうち下側の領域を「第二配置領域Ｄ２」といい、第一壁７１のうち下側の領域を「第三配置領域Ｄ３」といい、第二壁７３のうち上側の領域を「第四配置領域Ｄ４」という。
【００５８】
第一配置領域Ｄ１、第二配置領域Ｄ２、第三配置領域Ｄ３、および第四配置領域Ｄ４の表面形状は、いずれも平面である。平面とは、完全に平らな面のみをいうものではなく、曲面を形成せず、かつ、凸部が設けられていない面をいう。すなわち、平面は、凹部が設けられている面を含む。
【００５９】
以下、側面視で第一壁７１、逃がし凹部７２、および第二壁７３からなる領域（すなわち、配置部７０を左右方向に投影した場合に形成される領域）の中心を、「中心Ｐ」という。中心Ｐは、側面視で第一壁７１の後下角部、第一壁７１の後上角部、第二壁７３の前下角部、および第二壁７３の前上角部の４点からなる長方形の対角線の交点と一致する。第一配置領域Ｄ１の表面形状と第二配置領域Ｄ２の表面形状とは、互いに中心Ｐに対して点対称である。第三配置領域Ｄ３と第四配置領域Ｄ４の表面形状とは、互いに中心Ｐに対して点対称である。
【００６０】
図７および図８に示すように、基板８０は、一方に長い長方形状であり、第一面８０Ａと第二面８０Ｂ（図１６参照）とを有する。第二面８０Ｂは、第一面８０Ａとは反対側を向く。第一面８０Ａには、一対のカセット側導電性端子８１が設けられる。一対のカセット側導電性端子８１は、いずれも金属端子であり、互いに間に所定の隙間を空けて基板８０の長手方向（以下、「Ｙ１方向」という。図１６参照）に並ぶ。一対のカセット側導電性端子８１は、基板８０の短手方向（以下、「Ｙ２方向」という。図１６参照）に長い矩形状であり、互いに同一形状である。一対のカセット側導電性端子８１のそれぞれのＹ２方向の一方側（例えば、図１６の上側）の端部は、Ｙ２方向において同じ位置にある。一対のカセット側導電性端子８１のそれぞれのＹ２方向の他方側（例えば、図１６の下側）の端部は、Ｙ２方向において同じ位置にある。
【００６１】
一対のカセット側導電性端子８１の長手方向（すなわち、Ｙ２方向）の長さは、一対の本体側導電性端子３４（図２参照）の長手方向（すなわち、図２の上下方向）の長さよりも小さい。一対のカセット側導電性端子８１の短手方向（すなわち、Ｙ１方向）の長さは、一対の本体側導電性端子３４の短手方向（すなわち、図２の左右方向）の長さよりも大きい。一対のカセット側導電性端子８１の互いの間の隙間の距離は、一対の本体側導電性端子３４の互いの間の隙間の距離よりも小さい。
【００６２】
図１６に示すように、第二面８０Ｂには、ＩＣチップ８２と一対のコンデンサ８３とモールド部８４とが設けられる。ＩＣチップ８２は、一対のコンデンサ８３を介在させて、一対のカセット側導電性端子８１のそれぞれと電気的に接続される。ＩＣチップ８２は、テープカセット５の種別等の各種情報を記憶できる。一対のコンデンサ８３は、特定の周波数を通過させる。モールド部８４は、ＩＣチップ８２を覆う樹脂部材であり、ＩＣチップ８２を保護する。
【００６３】
以下、図１６の右側を、Ｙ１方向の一方とし、図１６の左側を、Ｙ１方向の他方とする。Ｙ１方向に第二面８０Ｂを三等分した場合の領域を、Ｙ１方向の一方（図１６の右側）から他方（図１６の左側）に向かう順に、「第一基板領域Ｓ１」、「第二基板領域Ｓ２」、「第三基板領域Ｓ３」とする。ＩＣチップ８２、コンデンサ８３、およびモールド部８４は、いずれも第二基板領域Ｓ２に配置される。
【００６４】
図１５および図１６に示すように、第一壁７１の後端部７１Ａと第二壁７３の前端部７３Ａとの間の前後方向の距離Ｗ１（すなわち、配置部７０の前後方向の長さ）は、基板８０のＹ１方向の長さＸ１よりもわずかに大きい。第一壁７１および第二壁７３の上下方向の長さＷ２は、基板８０のＹ２方向の長さＸ２よりもわずかに大きい。逃がし凹部７２の前後方向の長さＷ３は、モールド部８４のＹ１方向の長さＸ３よりも大きい。
【００６５】
以下、基板８０のＹ１方向の一方（図１６の右側）の端部を、「第一基板端部８５Ａ」といい、基板８０のＹ１方向の他方（図１６の左側）の端部を、「第二基板端部８５Ｂ」という。第一壁７１の前後方向の長さＷ４および第二壁７３の前後方向の長さＷ５は、いずれも、モールド部８４（詳細には、モールド部８４のＹ１方向の一方の端部）と第一基板端部８５Ａとの間のＹ１方向の距離Ｘ４およびモールド部８４（詳細には、モールド部８４のＹ１方向の他方の端部）と第二基板端部８５Ｂとの間のＹ１方向の距離Ｘ５のいずれよりも小さい。
【００６６】
図９に示すように、基板８０は、Ｙ１方向（図１６参照）とテープカセット５の前後方向とを平行にし、かつ、第一面８０Ａが右方を向いた状態で、配置部７０に配置される。基板８０は、Ｙ１方向の一方（図１６の右側）がテープカセット５の後方および前方のいずれを向いた状態でも配置部７０に配置できる。第一壁７１および第二壁７３のそれぞれと第二面８０Ｂとの間に接着層（図示略）が配置される。接着層は、粘着剤、両面粘着テープ等である。基板８０は、接着層を介在させて、第一壁７１および第二壁７３にまたがって配置される。
【００６７】
以下、基板８０が配置部７０に配置された状態を基準に説明する。モールド部８４およびＩＣチップ８２は、逃がし凹部７２に配置される。特定面５５Ａおよび第一面８０Ａは、左右方向において同じ位置に配置される。基板８０は、第三領域Ｒ３に配置される。基板８０の前後方向の中心は、第二排出口６４の前後方向の中心よりも前方にある。基板８０の一部は、第二排出口６４と左右方向に重なる。詳細には、一対のカセット側導電性端子８１のうち前側の導電性端子は、第二排出口６４と左右方向に重なる。
【００６８】
図１７および図１８を参照し、テープカセット５の収容体９への収容方法を説明する。以下、収容体９の前後両側面の上下方向の中央部を左右方向に延びる線を、それぞれ、「仮想線Ｋ１、Ｋ２」という（図１７参照）。図１７に示すように、収容体９の右端部９Ａおよび左端部９Ｂが開口した状態において、収容体９の前後両側面がそれぞれ仮想線Ｋ１、Ｋ２を折り目として内側に折り込まれる。この状態で、収容体９は、右端部９Ａが上下方向に圧着される。これにより、右端部９Ａには、マチ部９１が形成される。
【００６９】
図１８に示すように、マチ部９１の前端部９１Ａおよび後端部９１Ｂは、それぞれ、収容体９が折り込まれて左右方向に複数の層が重なった状態となる。テープカセット５は、右壁５５がマチ部９１と左右方向に対向する状態、すなわち、基板８０が前端部９１Ａおよび後端部９１Ｂのいずれか（図１８では、前端部９１Ａ）と左右方向に対向する状態で収容体９に収容される。この状態で、収容体９は、左端部９Ｂが上下方向に圧着される（図６参照）。以上のように、テープカセット５が収容体９へ収容されて、テープカセットユニット１００が完成する。
【００７０】
図１９を参照し、テープカセット５が装着部２０に装着される流れおよび印刷装置１による印刷動作を説明する。ユーザは、収容体９（図６参照）からテープカセット５を取り出す。ユーザは、基板８０が端子ユニット３０と対向するように、テープカセット５を装着部２０に装着する。テープカセット５が装着部２０に装着される過程では、第二接続部５１２Ｂが端子ホルダ３２の上端部の後部の左端部に下方から接触する。端子ホルダ３２の上端部の後部が、後方斜め上側に傾斜しているので、端子ホルダ３２は、第二接続部５１２Ｂによって前方に押圧される。端子ホルダ３２は、付勢部材３３の付勢力に抗って第一位置（図４参照）から第二位置（図５参照）に移動する。
【００７１】
ヘッド挿入部６１にサーマルヘッド２２が挿入される。テープ駆動ローラ４６にテープ駆動軸２６が挿入される。リボン巻取スプール４４にリボン巻取軸２７が挿入される。凹部６８にリブ２９が挿入される。凹部６８がないテープカセットは、リブ２９と干渉するので、装着部２０に装着できない。よって、凹部６８およびリブ２９により、テープカセット５とは異なるテープカセットが装着部２０に装着されることが抑制される。フック２８Ａ、２８Ｂが、それぞれ、リブ６５Ａ、６６Ａに係合する。これにより、テープカセット５の装着部２０に対する位置が決定し、テープカセット５の装着部２０への装着は完了する。
【００７２】
テープカセット５が装着部２０に装着された状態では、一対のカセット側導電性端子８１と一対の本体側導電性端子３４とがそれぞれ互いに前後方向に対向接触して電気的に接続する。これにより、印刷装置１は、テープカセット５との間で通信可能な状態となる。詳細には、印刷装置１は、一対の本体側導電性端子３４と一対のカセット側導電性端子８１とのそれぞれの接点間の電圧差を利用して公知の変調方式によってＩＣチップ８２からの信号を受信する。
【００７３】
カバー１９（図１参照）が本体筐体１０に対して閉じられると、プラテンホルダ２３が左側に回動する。プラテンローラ２４は、互いに重ね合ったフィルムテープ７およびインクリボン４をサーマルヘッド２２との間で挟む。テープサブローラ２５は、両面粘着テープ６およびフィルムテープ７をテープ駆動ローラ４６との間で挟む。
【００７４】
印刷装置１による印刷動作が開始されると、テープ駆動軸２６およびリボン巻取軸２７は、モータ（図示略）によって同期して回転駆動される。テープ駆動軸２６の回転に伴って、テープ駆動ローラ４６が回転し、テープサブローラ２５が従動回転する。テープ駆動ローラ４６およびテープサブローラ２５が回転すると、両面粘着テープ６およびフィルムテープ７が、それぞれ、両面粘着ロール６Ａおよびフィルムロール７Ａから引き出されて搬送される。リボン巻取軸２７の回転に伴って、リボン巻取スプール４４が回転する。リボン巻取スプール４４が回転すると、インクリボン４がリボンロール４Ａから引き出される。プラテンローラ２４とサーマルヘッド２２との間でフィルムテープ７と重ね合っているインクリボン４が使用され、サーマルヘッド２２によるフィルムテープ７への印刷が行われる。テープサブローラ２５とテープ駆動ローラ４６との間で、印刷済みのフィルムテープ７に両面粘着テープ６が貼り合わされ、第二排出口６４から外部に排出される。
【００７５】
以上説明したように、左壁５６には、第二排出口６４が設けられる。基板８０は、一対のカセット側導電性端子８１とＩＣチップ８２とを備える。一対のカセット側導電性端子８１は第一面８０Ａに配置され、ＩＣチップ８２は第二面８０Ｂに配置される。基板８０は、第一面８０Ａが右方を向いた状態で配置部７０に配置される。第二排出口６４は、テープを排出するので、他の部位に比べてユーザによって触られにくい。すなわち、ユーザは、テープカセット５を取り扱う際、例えば左壁５６のうち第二排出口６４が設けられていない部位に指をかける。この場合、ユーザは、右壁５５のうち、指をかけた部分と左右方向に重なる部位に他の指をかけてテープカセット５を掴む。よって、第二排出口６４と左右方向に重なる部位は、他の部位に比べてユーザによって触られにくい。テープカセット５では、基板８０の一部が第二排出口６４と左右方向に重なっているので、基板８０はユーザによって触られにくくなる。これにより、一対のカセット側導電性端子８１もユーザによって触られにくくなる。よって、テープカセット５は、一対のカセット側導電性端子８１の腐食、汚れの付着等を抑制できる。テープカセット５は、基板８０および一対のカセット側導電性端子８１がユーザによって触られることによるＩＣチップ８２への悪影響を抑制できる。
【００７６】
一対のカセット側導電性端子８１のうち前側の導電性端子は、第二排出口６４と左右方向に重なっている。よって、一対のカセット側導電性端子８１のうち第二排出口６４と左右方向に重なっている部位は、ユーザによってさらに触られにくくなる。よって、テープカセット５は、基板８０および一対のカセット側導電性端子８１がユーザによって触られることによるＩＣチップ８２への悪影響をさらに抑制できる。
【００７７】
ユーザは、例えば上下方向からテープカセット５を掴む場合がある。この場合、基板８０が配置部７０に配置された状態で、一対のカセット側導電性端子８１が前後方向に並んでいるので、テープカセット５は、例えば一対のカセット側導電性端子８１が上下方向に並ぶ場合に比べて、一対のカセット側導電性端子８１が同時に触られることを抑制できる。
【００７８】
ユーザは、テープカセット５を取り扱う際、第一領域Ｒ１、第二領域Ｒ２、および第三領域Ｒ３のうち、前後方向の中央を含む第二領域Ｒ２を掴むことが多いと考えられる。テープカセット５では、第二排出口６４および配置部７０が第三領域Ｒ３に配置されているので、第二排出口６４および配置部７０が第二領域Ｒ２に比べて、基板８０および一対のカセット側導電性端子８１がユーザによってさらに触られにくくなる。よって、テープカセット５は、基板８０および一対のカセット側導電性端子８１がユーザによって触られることによるＩＣチップ８２への悪影響をさらに抑制できる。
【００７９】
リブ６５Ａ、６６Ａは、それぞれ、右壁５５および左壁５６からカセットケース５０の外側に向けて突出しているので、ユーザはリブ６５Ａ、６６Ａのそれぞれに指を掛けてテープカセット５を掴むと考えられる。リブ６５Ａ、６６Ａは、それぞれ、基板８０から後方にずれた位置に設けられているので、ユーザがテープカセット５を掴んだ場合に、基板８０および一対のカセット側導電性端子８１が触られにくくなる。よって、テープカセット５は、基板８０および一対のカセット側導電性端子８１がユーザによって触られることによるＩＣチップ８２への悪影響をさらに抑制できる。
【００８０】
配置部７０が右壁５５から左方に凹んでいるので、配置部７０が凹んでいない場合に比べて、基板８０のうち特定面５５Ａよりも右側に出っ張る部位が小さくなる。よって、基板８０を載置面（例えば、作業台の上面）に向けてテープカセット５を置いた場合に、基板８０および一対のカセット側導電性端子８１は、載置面に接触することによる応力を受けにくくなる。よって、テープカセット５は、基板８０および一対のカセット側導電性端子８１に応力が作用することによる悪影響を抑制できる。基板８０のうち特定面５５Ａよりも右側に出っ張る部位が小さくなると、テープカセット５の使用時等に、基板８０のうち特定面５５Ａよりも右側に出っ張る部位が引っかかって、基板８０が配置部７０から外れることが抑制される。
【００８１】
配置部７０は、右壁５５のうち前壁５７と隣接する位置にあり、前壁５７と連結部７０Ａで連結する。連結部７０Ａの形状は、前壁５７の右端部から後方斜め左側に鋭角に屈曲し、平面視で円弧状をなしている。よって、配置部７０が左右方向に外力を受けて、連結部７０Ａが支点となった場合、配置部７０が前壁５７から離れた位置にあり、前壁５７の右端部と配置部７０の前端部とを直線状に連結した場合に比べて、配置部７０と支点との間の距離が小さいので、配置部７０の強度を高くできる。
【００８２】
リブ６５Ａ、６５Ｂ、６５Ｃが、それぞれ、カセットケース５０の外側（すなわち、右側）に向けて基板８０よりも右側まで右壁５５から突出しているので、基板８０を載置面に向けてテープカセット５を置いた場合に、基板８０および一対のカセット側導電性端子８１は、載置面に接触しにくくなる。よって、テープカセット５は、基板８０および一対のカセット側導電性端子８１が載置面に接触することによって損傷することを抑制できる。
【００８３】
後壁５８には種別表示ラベル５Ａが設けられているので、後壁５８を載置面とは反対側に向けてテープカセット５が置かれることが考えられる。この場合、凹部６８が後壁５８に設けられているので、ユーザは、凹部６８に指を引っ掛けてテープカセット５を引きずって移動させることができる。よって、テープカセット５を移動させる際にユーザがテープカセット５を掴むことが抑制される。テープカセット５は、基板８０および一対のカセット側導電性端子８１がユーザによって触られることによるＩＣチップ８２への悪影響を抑制できる。
【００８４】
前壁５７と後壁５８との間の距離Ｌ１は、上壁５３と下壁５４との間の距離Ｌ２よりも大きい。右壁５５と左壁５６との間の距離Ｌ３は、距離Ｌ１よりも大きい。この場合、上壁５３、下壁５４、右壁５５、左壁５６、前壁５７、および後壁５８のうち、上壁５３または下壁５４の面積が最も大きくなり、右壁５５または左壁５６の面積が最も小さくなる。よって、上壁５３または下壁５４を載置面に向けてテープカセット５を置いた場合、テープカセット５の載置状態が最も安定する。右壁５５または左壁５６を載置面に向けてテープカセット５を置いた場合、テープカセット５の載置状態は最も安定しない。よって、テープカセット５は、右壁５５または左壁５６が載置面を向いて置かれることを抑制できる。右壁５５には基板８０が設けられているので、テープカセット５は、基板８０および一対のカセット側導電性端子８１が載置面に接触することによって損傷することを抑制できる。
【００８５】
基板８０にはカセット側導電性端子８１等の種々の金属部材が設けられているので、基板８０の光の反射率は一般的に高い。このため、仮に基板８０がコード５１Ｂの近傍に配置されていると、光学式の読取装置はコード５１Ｂを読み取る場合、基板８０による光の反射の影響で情報を読み取ることをできなかったり、誤った情報を読み取ったりする可能性がある。本実施形態では、読取表示部５４Ａが下壁５４に設けられており、下壁５４には基板８０が設けられていない。よって、テープカセット５は光学式の読取装置がコード５１Ｂを読み取る場合、基板８０による光の反射の影響で情報を読み取ることをできなかったり、誤った情報を読み取ったりすることを抑制できる。下壁５４には基板８０が設けられていないので、テープカセット５は、読取表示部５４Ａの面積を大きく確保できる。
【００８６】
本実施形態では、右壁５５には基板８０が設けられているので、右壁５５が載置面に向けられてテープカセット５が置かれると、基板８０および一対のカセット側導電性端子８１が載置面に接触することによって損傷する可能性がある。例えばユーザは、光学式の読取装置でコード５１Ｂを読み取る場合、コード５１Ｂが表示された外壁とは反対側の外壁を載置面に向けてテープカセット５を置くことが考えられる。本実施形態では、読取表示部５４Ａが下壁５４に設けられているので、コード５１Ｂが下壁５４に表示されており、すなわち、左壁５６にはコード５１Ｂが表示されていない。このため、ユーザが光学式の読取装置でコード５１Ｂを読み取る場合、右壁５５が載置面に向けられてテープカセット５が置かれることが抑制される。よって、テープカセット５は、ユーザが光学式の読取装置でコード５１Ｂを読み取る場合、基板８０および一対のカセット側導電性端子８１が載置面に接触することによって損傷することを抑制できる。
【００８７】
上述したように、上壁５３、下壁５４、右壁５５、左壁５６、前壁５７、および後壁５８のうち、上壁５３または下壁５４の面積が最も大きい。第一種別表示部５３Ａは上壁５３に設けられているので、テープカセット５は、第一種別表示部５３Ａの面積を大きく確保できる。よって、ユーザは、第一種別表示部５３Ａによって表示されたテープカセット５の種別を容易に視認できる。読取表示部５４Ａは下壁５４に設けられており、下壁５４には第一種別表示部５３Ａが設けられていないので、テープカセット５は、読取表示部５４Ａの面積を大きく確保できる。よって、テープカセット５は、光学式の読取装置がコード５１Ｂを読み取る場合、例えばコード５１Ｂの表示が潰れることにより情報を読み取ることをできなかったり、誤った情報を読み取ったりすることを抑制できる。
【００８８】
第一種別表示部５３Ａおよび第二種別表示部５８Ａには、種別表示ラベル５Ａが粘着剤Ｚ１を介在させてそれぞれにまたがって貼り付けられているので、テープカセット５は、第一種別表示部５３Ａおよび第二種別表示部５８Ａから種別表示ラベル５Ａが剥がれることを抑制できる。読取表示部５４Ａには、読取表示ラベル５Ｂが粘着剤Ｚ２を介在させて貼り付けられているので、テープカセット５は、読取表示部５４Ａから読取表示ラベル５Ｂが剥がれることを抑制できる。例えば印刷時にテープカセット５がサーマルヘッド２２等から熱を受けると、粘着剤Ｚ１、Ｚ２がその熱により融ける可能性がある。本実施形態では、第一種別表示部５３Ａ、第二種別表示部５８Ａ、および読取表示部５４Ａが、それぞれ、上壁５３、後壁５８、および下壁５４に設けられており、すなわち、基板８０が設けられている右壁５５に設けられていない。よって、テープカセット５は、熱により融けた粘着剤Ｚ１、Ｚ２が流れて基板８０および一対のカセット側導電性端子８１に付着することを抑制でき、ＩＣチップ８２への悪影響を抑制できる。
【００８９】
テープカセットユニット１００では、テープカセット５が収容体９に収容されているので、基板８０はユーザによって触られにくい。よって、テープカセットユニット１００は、一対のカセット側導電性端子８１の腐食、汚れの付着等を抑制できる。テープカセットユニット１００は、基板８０および一対のカセット側導電性端子８１がユーザによって触られることによるＩＣチップ８２への悪影響を抑制できる。テープカセットユニット１００が誤って落下した場合、落下の衝撃で基板８０が損傷する可能性がある。本実施形態では、基板８０が前端部９１Ａと左右方向に対向しており、前端部９１Ａは左右方向に複数の層が重なっている。よって、落下の衝撃が前端部９１Ａによって緩和されるので、テープカセットユニット１００は、落下の衝撃で基板８０が損傷することを抑制できる。
【００９０】
本実施形態において、上壁５３が、本発明の「第一外壁」に相当する。下壁５４が、本発明の「第二外壁」に相当する。右壁５５が、本発明の「第三外壁」に相当する。左壁５６が、本発明の「第四外壁」に相当する。前壁５７が、本発明の「第五外壁」に相当する。後壁５８が、本発明の「第六外壁」に相当する。テープカセット５の上下方向が、本発明の「第一方向」に相当する。テープカセット５の左右方向が、本発明の「第二方向」に相当する。テープカセット５の前後方向が、本発明の「第三方向」に相当する。第二排出口６４が、本発明の「排出部」に相当する。ＩＣチップ８２が、本発明の「記憶部」に相当する。リブ６５Ａ、６６Ａが、本発明の「第一凸部」に相当する。配置部７０が、本発明の「第一凹部」に相当する。リブ６５Ｂ、６５Ｃが、本発明の「第二凸部」に相当する。上ケース５１が、本発明の「第一ケース」に相当する。下ケース５２が、本発明の「第二ケース」に相当する。フック６７Ａが、本発明の「フック」に相当する。孔６７Ｂが、本発明の「孔」に相当する。凹部６８が、本発明の「第二凹部」に相当する。リブ４８が、本発明の「第一リブ」に相当する。フィルムロール７Ａが、本発明の「テープロール」に相当する。リブ４７が、本発明の「第二リブ」に相当する。共通部５０Ａが、本発明の「角部」に相当する。上端部５０１が、本発明の「第一端部」に相当する。下端部５０２が、本発明の「第二端部」に相当する。第二接続部５１１Ｂ、５１２Ｂが、本発明の「接続部」に相当する。支持部４９Ｂが、本発明の「支持部」に相当する。読取表示部５４Ａが、本発明の「読取表示部」に相当する。第一種別表示部５３Ａが、本発明の「種別表示部」に相当する。表面５３Ｂが、本発明の「第三面」に相当する。裏面５４Ｂが、本発明の「第四面」に相当する。読取表示ラベル５Ｂが、本発明の「ラベル」に相当する。収容体９が、本発明の「収容体」に相当する。マチ部９１が、本発明の「マチ部」に相当する。
【００９１】
本発明は、上記実施形態から種々変更できる。例えば、上記実施形態では、ＩＣチップ８２は、モールド部８４によって保護されるが、モールド部８４は省略してもよい。図２０に示すように、テープカセット５は、逃がし凹部７２の代わりに逃がし孔７２１を採用してもよい。逃がし孔７２１は、配置部７０の底壁を左右方向に貫通する。基板８０が配置部７０に配置された状態で、逃がし孔７２１には、モールド部８４が配置される。モールド部８４は、カセットケース５０の内部において、搬送経路上にあるテープ（図２０では、フィルムテープ７）と左右方向に対向する。モールド部８４が省略された場合、基板８０が配置部７０に配置された状態で、逃がし孔７２１には、ＩＣチップ８２が配置される。ＩＣチップ８２は、カセットケース５０の内部において、搬送経路上にあるテープと左右方向に対向する。
【００９２】
上記実施形態のテープカセット５は、ラミネートタイプであるが、レセプタタイプ、サーマルタイプ、チューブタイプ等でもよい。レセプタタイプのテープカセットでは、第二テープスプール４１が省略され、支持部４９Ａが、第一のテープとして片面粘着テープが巻回された第一テープスプール４０を支持する。サーマルタイプのテープカセット５では、リボンロール４Ａが省略され、支持部４９Ａが、第一のテープとして感熱紙テープが巻回された第一テープスプール４０を支持する。
【００９３】
図２１を参照し、変形例のテープカセット５を説明する。以下では、上記実施形態と共通の構成には、上記実施形態と同一符号を付して説明を省略し、上記実施形態と異なる点を主に説明する。
【００９４】
変形例の両面粘着テープ６およびフィルムテープ７のテープ幅は、上記実施形態の両面粘着テープ６およびフィルムテープ７のテープ幅よりも小さい。テープカセット５は、フィルムテープ７に適切な搬送負荷をかけるため、テープ幅に応じて屈曲ピンの個数が異なる。変形例のテープカセット５では、屈曲ピン４５Ｂ〜４５Ｄが省略される。すなわち、リボンロール４Ａの右前側には、屈曲ピン４５Ａのみ設けられる。屈曲ピン４５Ａは、筒状体４５１を回転可能に支持する。フィルムテープ７の搬送経路は、フィルムロール７Ａから前方に延び、筒状体４５１の外周面のうち右端部に沿って左側に曲がる。フィルムテープ７が搬送されると、筒状体４５１が回転するので、フィルムテープ７の搬送に対する負荷が抑制される。なお、屈曲ピンの個数は、テープ幅によらず一定でもよい。カセットケース５０の内部において、逃がし凹部７２の底壁は、搬送経路上にあるテープ（図９では、フィルムテープ７）と左右方向に対向する。
【００９５】
図２２および図２３を参照し、配置部７０および基板８０の変形例を説明する。図２２に示すように、第一壁７１および第二壁７３には、一対の凸部７４が設けられ、図２３に示すように、第二面８０Ｂには、一対の穴部８６が設けられてもよい。一対の凸部７４は、中心Ｐに対して対称となる位置から右方に突出する。一対の凸部７４の形状は、円柱状であり、中心Ｐに対して対称である。一対の凸部７４の形状は、円柱状に限定せず、例え四角柱状でもよい。一対の穴部８６は、基板８０の中心に対して対称となる位置であって、一対の凸部７４のそれぞれに対応する位置から右方に凹む。一対の穴部８６の形状は、円形であり、基板８０の中心に対して対称である。一対の穴部８６の形状は、円形に限定せず、一対の凸部７４の形状に対応した形状であればよい。一対の穴部８６は、基板８０を左右方向に貫通してもよい。一対の凸部７４の直径は、一対の穴部８６の直径よりもわずかに小さい。
【００９６】
基板８０が配置部７０に配置された場合、一対の凸部７４が一対の穴部８６に嵌まる。これにより、基板８０は、配置部７０に確実に取り付けることができる。一対の凸部７４が中心Ｐに対して対称となる位置にあるので、テープカセット５に対する基板８０のＹ１方向の向きを前後逆さにしても、基板８０は配置部７０に配置できる。一対の凸部７４を一組とした場合、第一壁７１および第二壁７３には、複数組の凸部７４が設けられてもよい。一対の穴部８６を一組とした場合、第二面８０Ｂには、複数組の穴部８６が設けられてもよい。第一壁７１および第二壁７３に一対の穴部８６が設けられ、第二面８０Ｂに一対の凸部７４が設けられてもよい。
【００９７】
上記実施形態では、一対のカセット側導電性端子８１のうち前側の導電性端子が、第二排出口６４と左右方向に重なる。これに対し、一対のカセット側導電性端子８１のうち後側の導電性端子が、第二排出口６４と左右方向に重なってもよい。一対のカセット側導電性端子８１のいずれも第二排出口６４と左右方向に重ならなくてもよい。例えば、一対のカセット側導電性端子８１の互いの間の隙間が第二排出口６４と左右方向に重なってもよい。
【００９８】
基板８０には、１つのカセット側導電性端子８１が設けられてもよいし、３つ以上のカセット側導電性端子８１が設けられてもよい。上記実施形態では、一対のカセット側導電性端子８１および一対の本体側導電性端子３４は、金属端子であるが、例えば、導電性樹脂端子でもよい。基板８０には、コンデンサ８３の他に、コイル等の電子部品が設けられてもよい。電子部品は、第二基板領域Ｓ２に配置されることが好ましい。この場合、電子部品は、逃がし凹部７２に配置されるので、テープカセット５は、電子部品が第一壁７１または第二壁７３と接触して損傷することを抑制できる。
【００９９】
上記実施形態では、一対のカセット側導電性端子８１の長手方向の長さは、一対の本体側導電性端子３４の長手方向の長さよりも小さい。一対のカセット側導電性端子８１の短手方向の長さは、一対の本体側導電性端子３４の短手方向の長さよりも大きい。一対のカセット側導電性端子８１の互いの間の隙間の距離は、一対の本体側導電性端子３４の互いの間の隙間の距離よりも小さい。これに対して、一対のカセット側導電性端子８１の長手方向の長さは、一対の本体側導電性端子３４の長手方向の長さ以上でもよい。一対のカセット側導電性端子８１の短手方向の長さは、一対の本体側導電性端子３４の短手方向の長さ以下でもよい。一対のカセット側導電性端子８１の互いの間の隙間の距離は、一対の本体側導電性端子３４の互いの間の隙間の距離以上でもよい。
【０１００】
一対のカセット側導電性端子８１は、Ｙ２方向に長い矩形状であるが、Ｙ１方向に長い矩形状でもよいし、正方形状、円形状等の他の形状でもよい。一対のカセット側導電性端子８１は、互いに同一形状であり、Ｙ１方向に並ぶが、互いに異なる形状でもよいし、Ｙ２方向に並んでもよい。
【０１０１】
基板８０には、一対のカセット側導電性端子８１の代わりに、通信部が設けられてもよい。通信部は、外部機器と無線通信可能であり、ＩＣチップ８２と電気的に接続する。この場合、上記実施形態とは異なり、一対の本体側導電性端子３４と接触する必要がないので、基板８０はカセットケース５０の内部に配置されてもよい。カセットケース５０の外部に基板８０が配置される場合に比べて、基板８０の損傷が抑制される。通信部は、例えばＲＦタグである。ＲＦタグは、第一面８０Ａに配置されもよいし、第二面８０Ｂに配置されもよい。ＲＦタグは、第二面８０Ｂに配置される場合には、第二基板領域Ｓ２に配置されることが好ましい。この場合、ＲＦタグは、逃がし凹部７２に配置されるので、テープカセット５は、ＲＦタグが第一壁７１または第二壁７３と接触して損傷することを抑制できる。印刷装置１は、一対の本体側導電性端子３４の代わりに、例えばＲＦＩＤ方式のデータ読込書込装置を備えてもよい。
【０１０２】
上記実施形態では、配置部７０は、右壁５５から左方に凹むが、凹まなくてもよい。すなわち、第一壁７１および第二壁７３は、左右方向において特定面５５Ａと同じ位置に配置されてもよい。上記実施形態では、第二排出口６４、配置部７０、および基板８０は、第三領域Ｒ３に配置されるが、第一領域Ｒ１または第二領域Ｒ２に配置されてもよいし、第一領域Ｒ１、第二領域Ｒ２、および第三領域Ｒ３の複数にまたがって配置されてもよい。配置部７０および基板８０は、上壁５３、下壁５４、左壁５６、前壁５７、または後壁５８に配置されてもよい。第二排出口６４は、配置部７０および基板８０が配置された壁と平行に延び、かつ、その壁と直交する方向に並ぶ壁に配置されればよい。
【０１０３】
第一種別表示部５３Ａ、第二種別表示部５８Ａ、読取表示部５４Ａは、それぞれ、上壁５３、下壁５４、右壁５５、左壁５６、前壁５７、または後壁５８のいずれに設けられてもよい。第一種別表示部５３Ａ、第二種別表示部５８Ａ、読取表示部５４Ａは、それぞれ、上壁５３、下壁５４、左壁５６、前壁５７、または後壁５８のいずれかに設けられることが好ましい。光学式の読取装置がコード５１Ｂを読み取る場合、基板８０による光の反射の影響で情報を読み取ることをできなかったり、誤った情報を読み取ったりすることを抑制するためである。第一種別表示部５３Ａ、第二種別表示部５８Ａ、読取表示部５４Ａの面積を大きく確保するためである。第一種別表示部５３Ａ、第二種別表示部５８Ａ、読取表示部５４Ａは、それぞれ、上壁５３、下壁５４、前壁５７、または後壁５８のいずれかに設けられることがより好ましい。ユーザが光学式の読取装置でコード５１Ｂを読み取る場合、右壁５５が載置面に向けられてテープカセット５が置かれることを抑制し、基板８０および一対のカセット側導電性端子８１が載置面に接触することによって損傷することを抑制するためである。第一種別表示部５３Ａが、例えば下壁５４に設けられた場合、読取表示部５４Ａは、その反対側の上壁５３に設けられることが好ましい。上壁５３は、各外壁の中で最も面積が大きく、上壁５３には第一種別表示部５３Ａが設けられていないので、テープカセット５は上壁５３に読取表示部５４Ａを設ける面積を確保しやすいからである。第一種別表示部５３Ａおよび第二種別表示部５８Ａのいずれか、またはいずれも省略してもよい。同様に、読取表示部５４Ａも省略してもよい。
【０１０４】
上記実施形態では、第一種別表示部５３Ａおよび第二種別表示部５８Ａには、粘着剤Ｚ１を介在させてそれぞれにまたがって種別表示ラベル５Ａが貼り付けられている。例えば、種別表示ラベル５Ａとして粘着剤Ｚ１の介在が不要な自己粘着性を有するラベルが採用されてもよい。読取表示ラベル５Ｂも、同様に、自己粘着性を有するラベルが採用されてもよい。第一種別表示部５３Ａおよび第二種別表示部５８Ａに、テープカセット５の種別が直接印刷されてもよい。同様に、読取表示部５４Ａにも、コード５１Ｂが直接印刷されてもよい。
【０１０５】
上記実施形態では、読取表示ラベル５Ｂにはコード５１Ｂおよびホログラム５２Ｂが設けられているが、いずれか一方のみが設けられてもよい。コード５１Ｂおよびホログラム５２Ｂは、一つの読取表示ラベル５Ｂに設けられているが、異なるラベルに設けられてもよい。この場合、読取表示部５４Ａは、ラベル毎に異なる位置に設けられてもよい。
【０１０６】
上記実施形態では、フック６７Ａは、上ケース５１に含まれる後壁５８に設けられ、孔６７Ｂは、下ケース５２に含まれる後壁５８に設けられている。これに対し、フック６７Ａが下ケース５２に含まれる後壁５８に設けられ、孔６７Ｂが上ケース５１に含まれる後壁５８に設けられてもよい。
【０１０７】
上記実施形態では、印刷装置１は、変調方式によってＩＣチップ８２からの信号を受信する。これに対し、印刷装置１は、他の方式でＩＣチップ８２からの信号を受信してもよい。印刷装置１は、例えばＩＣチップ８２からの差動信号を受信してもよい。
【０１０８】
上記実施形態では、特定面５５Ａおよび第一面８０Ａは、左右方向において同じ位置に配置されている。これに対して、第一面８０Ａは、特定面５５Ａよりも左側に配置されてもよい。この場合、テープカセット５の使用時等に、基板８０のうち特定面５５Ａよりも右側に出っ張る部位が引っかかって、基板８０が配置部７０から外れることがさらに抑制される。第一面８０Ａは、特定面５５Ａよりも右側に配置されてもよい。この場合、基板８０が特定面５５Ａよりも右側に出っ張っているので、テープカセット５が装着部２０に装着されたときに、一対の本体側導電性端子３４は、一対のカセット側導電性端子８１にそれぞれ確実に接触できる。
【０１０９】
上記実施形態では、収容体９は、可撓性を有する樹脂製であるが、可撓性を有しなくてもよいし、樹脂製でなくてもよい。例えば、収容体９は、紙、段ボール等でもよいし、複数の材料が組み合わされて形成されてもよい。マチ部９１の形成方法およびテープカセット５の収容体９への収容方法は、それぞれ、上記実施形態に限定しない。具体的には、上記実施形態では、収容体９の前後両側面がそれぞれ仮想線Ｋ１、Ｋ２を折り目として内側に折り込まれた状態で、右端部９Ａが上下方向に圧着されることで、マチ部９１が形成される。これに対し、例えば、右端部９Ａが内側に折り込まれた状態で、折り込まれた部分が互いに粘着剤で接着されることでマチ部９１が形成されてもよい。
【符号の説明】
【０１１０】
４    インクリボン
５    テープカセット
５Ａ    種別表示ラベル
５Ｂ    読取表示ラベル
６    両面粘着テープ
７    フィルムテープ
９    収容体
４７、４８    リブ
４９Ｂ    支持部
５０    カセットケース
５０Ａ、５０Ｂ    共通部
５１    上ケース
５２    下ケース
５３    上壁
５３Ａ    第一種別表示部
５４    下壁
５４Ａ    読取表示部
５５    右壁
５５Ａ    特定面
５６    左壁
５７    前壁
５８    後壁
６４    第二排出口
６５Ａ、６５Ｂ、６５Ｃ、６６Ａ    リブ
６７Ａ    フック
６７Ｂ    孔
６８    凹部
６８Ａ    第一対向壁
６８Ｂ    第二対向壁
６８Ｃ    接続壁
７０    配置部
７０Ａ    連結部
７１    第一壁
７２    逃がし凹部
７３    第二壁
８０    基板
８０Ａ    第一面
８０Ｂ    第二面
８１    カセット側導電性端子
８２    ＩＣチップ
８４    モールド部
９１    マチ部
１００    テープカセットユニット
５１１、５１２    突出部
５１１Ｂ、５１２Ｂ    第二接続部
７２１    孔
Ｒ１    第一領域
Ｒ２    第二領域
Ｒ３    第三領域
【図１】
2019025889.tif 000003
【図２】
2019025889.tif 000004
【図３】
2019025889.tif 000005
【図４】
2019025889.tif 000006
【図５】
2019025889.tif 000007
【図６】
2019025889.tif 000008
【図７】
2019025889.tif 000009
【図８】
2019025889.tif 000010
【図９】
2019025889.tif 000011
【図１０】
2019025889.tif 000012
【図１１】
2019025889.tif 000013
【図１２】
2019025889.tif 000014
【図１３】
2019025889.tif 000015
【図１４】
2019025889.tif 000016
【図１５】
2019025889.tif 000017
【図１６】
2019025889.tif 000018
【図１７】
2019025889.tif 000019
【図１８】
2019025889.tif 000020
【図１９】
2019025889.tif 000021
【図２０】
2019025889.tif 000022
【図２１】
2019025889.tif 000023
【図２２】
2019025889.tif 000024
【図２３】
2019025889.tif 000025